(57)【要約】【課題】プロジェクタ装置で立体映像の投射を行う場合に、適切な視差を設定できるようにする。【解決手段】端子部１５０にソース機器２００から入力した映像データによる投射映像を生成し、生成した投射映像を投射レンズ１１０により投射する。この投射レンズにより投射した映像が表示される表示面１０１までの距離を検出し、投射レンズによる映像の投射角度を検出し、その検出した距離と投影角度に基づいて表示面での映像の表示サイズを算出する。そして、取得した表示サイズをソース機器に所定の伝送フォーマットで伝え、ソース機器でプロジェクタ装置での投射される映像サイズに適した視差設定などの処理を実行させる。【選択図】図２
2013077987.tif 000002
【特許請求の範囲】
【請求項１】
ソース機器が出力した映像データが入力され、自機の表示能力に関するデータを前記ソース機器に伝送する端子部と、
前記端子部に入力された映像データによる投射映像を生成し、生成した投射映像を投射レンズにより投射する映像投射処理部と、
前記投射レンズにより投射した映像が表示される表示面までの距離を検出する距離検出部と、
前記投射レンズによる映像の投射角度を検出する投射角度検出部と、
前記距離検出部が検出した距離と前記投射角度検出部が検出した投射角度に基づいて表示面での映像の表示サイズを算出し、算出した表示サイズを、前記自機の表示能力に関するデータとして前記端子部から前記ソース機器に伝送する制御部とを備える
プロジェクタ装置。
【請求項２】
前記端子部がソース機器に伝送する表示能力に関するデータを格納するデータ格納部を備え、
前記制御部が算出した表示サイズを、前記データ格納部に格納する
請求項１記載のプロジェクタ装置。
【請求項３】
当該プロジェクタ装置の電源投入操作又は表示サイズを更新する操作があった際に、前記制御部が表示サイズを算出し、前記データ格納部が格納する表示サイズのデータを、算出した表示サイズに更新する
請求項２記載のプロジェクタ装置。
【請求項４】
前記制御部は、前記端子部を介した前記ソース機器とのデータ伝送が行えない無効化処理を行った状態で、前記データ格納部が格納する表示サイズのデータを更新し、更新後に前記無効化を解除する
請求項３記載のプロジェクタ装置。
【請求項５】
前記端子部が入力した映像データは、立体視用映像データを構成する右眼用映像と左眼用映像とが交互又は個別に供給される映像データであり、
前記映像投射処理部は、前記右眼用映像と左眼用映像とを所定の周期で交互に表示面に投射する
請求項１記載のプロジェクタ装置。
【請求項６】
前記制御部は、前記表示面に投射された映像を視るユーザの位置と、前記表示面との距離を推測し、
その推測した距離により、前記端子部に入力した映像データの前記右眼用映像と前記左眼用映像の視差の調整を行う
請求項５記載のプロジェクタ装置。
【請求項７】
端子部にソース機器から入力した映像データによる投射映像を生成し、生成した投射映像を投射レンズにより投射して映像を表示する表示処理と、
前記投射レンズにより投射した映像が表示される表示面までの距離を検出する距離検出処理と、
前記投射レンズによる映像の投射角度を検出する投射角度検出処理と、
前記距離検出処理で検出した距離と前記投射角度検出処理で検出した投射角度に基づいて表示面での映像の表示サイズを算出する表示サイズ算出処理と、
前記表示サイズ算出処理で得た表示サイズを前記ソース機器に伝送する伝送処理とを実行する
映像表示方法。
【発明の詳細な説明】
【技術分野】
【０００１】
本開示は、映像をスクリーンなどに投射するプロジェクタ装置及びそのプロジェクタ装置に適用される映像表示方法に関し、特に立体映像を表示させる場合に適用される技術に関する。
【背景技術】
【０００２】
スクリーンに映像を投射（投影）して、そのスクリーンを見ているユーザに三次元映像（立体映像）を認識させるプロジェクタ装置がある。このプロジェクタ装置は、スクリーンに左眼用の映像と右眼用の映像とを所定の周期（例えばフィールド周期）で交互に表示する。そして、このように表示された映像を、映像の表示周期に同期して開閉制御される液晶シャッタ眼鏡等の立体映像観察用眼鏡を通して鑑賞する。
【０００３】
ところで、スクリーンに表示される立体映像の三次元的な見え方は、スクリーンに表示される映像のサイズにより変化する。図１３は、スクリーンに表示される映像のサイズで、立体効果が異なる点を説明した図である。
例えば、図１３（ａ）に示すように、比較的小さなサイズのスクリーン１ａに投射した映像中の、右眼用表示物ＸＲと左眼用表示物ＸＬとの視差差をＷ１としたとき、観察者には、スクリーン１ａよりも距離Ｙ１だけ手前に、表示物ＸＬ，ＸＲが飛び出して見える。
【０００４】
これに対して、図１３（ｂ）に示すように、スクリーン１ａよりも大きなスクリーン１ｂに同じ内容の映像をそのまま拡大して表示すると、右眼用表示物ＸＲと左眼用表示物ＸＬとの視差差はＷ１よりも広いＷ２となる。このため、スクリーン１ｂの場合には、表示物ＸＬ，ＸＲが飛び出して見える距離Ｙ２が、小さなスクリーンの場合の距離Ｙ１よりも長くなる。
この距離Ｙ１と距離Ｙ２の差ΔＹを補正するためには、図１３（ｃ）に示すように、スクリーン１ｂ上の右眼用表示物ＸＲと左眼用表示物ＸＬとの視差差を小さな視差差Ｗ１に補正する必要がある。スクリーン１ｂ上の視差差をＷ２からＷ１に補正することで、表示物ＸＬ，ＸＲが飛び出して見える距離を、図１３（ａ）の場合と同じ距離Ｙ１に設定できる。
【０００５】
特許文献１には、観察者が装着した液晶シャッタ眼鏡を使用して、プロジェクタ装置が投影した映像を立体視するシステムについての記載がある。
また、特許文献２には、ゲーム機などで立体視を行う映像データを生成させる際に、そのゲーム機と接続した表示装置から表示能力のデータを取得して、表示能力に適した立体視用の映像データを生成させる点についての記載がある。この特許文献２では、表示能力のデータとして、ＥＤＩＤ（Extended display identification data）と称されるデータを使用した例についての記載がある。
【先行技術文献】
【特許文献】
【０００６】
【特許文献１】特開平９−９２９９号公報
【特許文献２】特開２０１０−２５８６０９号公報
【発明の概要】
【発明が解決しようとする課題】
【０００７】
上述したように、プロジェクタ装置を使用して立体映像を表示する際には、スクリーンとプロジェクタ装置との距離に応じた視差差を設定することが好ましい。
すなわち、液晶表示パネルなどのサイズが一定の映像を表示する映像表示装置の場合には、その装置が備える表示パネルのサイズに対して適切な視差差を設定して、適切な立体感を得ている。一方、映像を投影するプロジェクタ装置の場合には、使用環境により画面サイズが異なるため、固定的に視差差を決めるのは好ましくない。特に、投射用レンズとしてズームレンズを備えたプロジェクタ装置の場合には、プロジェクタ装置からスクリーンまでの投射距離が同じであっても、ズームレンズの調整で表示映像のサイズを調整可能であり、視差差を固定的な条件で決めるのは好ましくない。
【０００８】
本開示は、プロジェクタ装置で立体映像の投射を行う場合に、適切な視差を設定できるようにすることを目的とする。
【課題を解決するための手段】
【０００９】
本開示のプロジェクタ装置は、ソース機器が出力した映像データが入力され、自機の表示能力に関するデータをソース機器に伝送する端子部を備え、その端子部に入力した映像データによる投射映像を投射レンズにより投射する映像投射処理部を備える。
さらに、投射レンズにより投射した映像が表示される表示面までの距離を検出する距離検出部と、投射レンズによる映像の投射角度を検出する投射角度検出部とを備える。そして、検出した表示面までの距離と投射角度に基づいて表示面での映像の表示サイズを算出し、算出した表示サイズを、自機の表示能力に関するデータとして端子部からソース機器に伝送する制御を行う制御部を備える。
【００１０】
また本開示の映像表示方法は、端子部にソース機器から入力した映像データによる投射映像を生成し、生成した投射映像を投射レンズにより投射して映像を表示する表示処理を行う。そして、投射レンズにより投射した映像が表示される表示面までの距離を検出する距離検出処理と、投射レンズによる映像の投射角度を検出する投射角度検出処理を行う。さらに、距離検出処理で検出した距離と投射角度検出処理で検出した投射角度に基づいて表示面での映像の表示サイズを算出する表示サイズ算出処理を行い、表示サイズ算出処理で得た表示サイズをソース機器に伝送する伝送処理を実行する。
【００１１】
本開示によると、投射レンズを使用して投射する映像の表示サイズが算出され、算出された表示サイズを、ソース機器に伝えることができる。したがって、ソース機器では、映像データを生成させる際に、表示サイズに対応した処理が可能になり、表示サイズに対応した良好な映像表示が行える。
【発明の効果】
【００１２】
本開示によると、投射映像の表示サイズを得ることができる。したがって、取得した表示サイズを、映像のソース機器側に伝えることが可能になり、ソース機器で表示サイズに対応した映像処理が行われた映像データを端子部が受信して、投射することができる。例えば、立体視用映像を表示する場合、左眼用映像と右眼用映像との視差が、実際の表示サイズに適合した視差に調整された映像を表示できるようになる。
【図面の簡単な説明】
【００１３】
【図１】本開示明の一実施の形態による映像投影システムの例を示す説明図である。
【図２】本開示の一実施の形態によるプロジェクタ装置と再生装置の構成例を示すブロック図である。
【図３】本開示の一実施の形態によるＨＤＭＩケーブルで送信する側と受信する側の構成例を示すブロック図である。
【図４】本開示の一実施の形態による投射距離測定例を示す波形図である。
【図５】本開示の一実施の形態による投射角度測定例を示す説明図である。
【図６】本開示の一実施の形態による電源オン時の処理例を示すフローチャートである。
【図７】本開示の一実施の形態によるメニュー操作による表示サイズ設定の処理例を示すフローチャートである。
【図８】本開示の一実施の形態によるプロジェクタ装置のＥＤＩＤ格納部を更新するための構成例を示す説明図である。
【図９】本開示の一実施の形態による表示サイズの更新処理例を示すフローチャートである。
【図１０】本開示の一実施の形態による再生装置での処理例を示すフローチャートである。
【図１１】本開示の他の実施の形態によるプロジェクタ装置と再生装置の構成例を示すブロック図である。
【図１２】本開示の他の実施の形態によるプロジェクタ装置での視差調整例を示すフローチャートである。
【図１３】立体映像表示時の表示サイズと視差との関係を示す説明図である。
【発明を実施するための形態】
【００１４】
本開示の一実施の形態の例を、以下の順序で説明する。
１．プロジェクタ装置と再生装置の構成（図１，図２）
２．ＨＤＭＩケーブルで送受信する構成（図３）
３．表示サイズを検出する処理（図４，図５）
４．電源オンにより表示サイズを取得する処理（図６）
５．メニュー操作により表示サイズを取得する処理（図７）
６．ＥＤＩＤの設定処理（図８，図９）
７．再生装置での処理（図１０）
８．変形例（図１１，図１２）
【００１５】
［１．プロジェクタ装置と再生装置の構成］
図１は、本開示の一実施の形態の例のプロジェクタ装置と再生装置によるシステム構成を示した図である。
プロジェクタ装置１００は、投射レンズ１１０を使用してスクリーン１０１に映像を投射する装置である。このプロジェクタ装置１００は、ＨＤＭＩ（High-Definition Multimedia Interface）規格の端子部を備え、ＨＤＭＩケーブル９０を使用して再生装置２００と接続される。そして、再生装置２００でディスクなどを再生して得た映像データを、ＨＤＭＩケーブル９０でプロジェクタ装置１００に伝送し、プロジェクタ装置１００でスクリーン１０１に映像の投影を行う。
なお、ＨＤＭＩ規格は、デジタル映像・音声入出力インターフェース規格であり、映像データや音声データを伝送すると共に、各種制御データなどを双方向に伝送することが可能である。ＨＤＭＩ規格では、映像及び音声の出力側の機器をソース機器と称し、映像及び音声の入力側の機器をシンク機器と称する。また、ＨＤＭＩ規格でシンク機器がソース機器に伝送するデータの１つとして、シンク機器（表示装置）が備える表示能力についてのデータ（後述するＥＤＩＤ）を有する。
【００１６】
本実施の形態の例では、プロジェクタ装置１００と再生装置２００は、それぞれ立体映像の処理が行える。すなわち、再生装置２００で左眼用映像と右眼用映像とで構成される３Ｄ映像データを再生し、再生した３Ｄ映像データをプロジェクタ装置１００に伝送する。
すなわち、立体視用映像データの場合、再生装置２００からＨＤＭＩケーブル９０を使用して、右眼用映像と左眼用映像とを１フレーム周期で交互又は個別にプロジェクタ装置１００に供給する。
プロジェクタ装置１００は、３Ｄ映像データが入力した場合、左眼用映像と右眼用映像とを１フレーム周期で交互にスクリーン１０１に投影する。そして、３Ｄ表示用眼鏡（図示せず）が備える左眼用液晶シャッタと右眼用液晶シャッタを、映像の表示タイミングに同期して、１フレームごとに交互に開閉させる。このようにすることで、３Ｄ表示用眼鏡を装着したユーザがスクリーン１０１を見ることで、表示映像を立体視することができる。
なお、映像を立体視する方式には種々の方式があり、液晶シャッタによる眼鏡を使用するのは１つの例であり、その他の方式を適用して立体視するプロジェクタ装置でもよい。
【００１７】
図１に示すように、プロジェクタ装置１００は、投射レンズ１１０でスクリーン１０１に映像を投射するが、本実施の形態の例では、投射レンズ１１０としてズームレンズを使用する。したがって、投射レンズ１１０による投射角度Ｒの調整で、スクリーン１０１への映像の投射サイズ、つまりスクリーン１０１上の映像表示サイズを可変設定できる。また、プロジェクタ装置１００は、距離センサ部１６０を備えて、プロジェクタ装置１００からスクリーン１０１までの距離を検出する。距離センサ部１６０は、超音波Ｕ１を発信し、スクリーン１０１で反射した超音波Ｕ１を受信して、距離を検出する。この距離を検出する具体的な処理については後述する。
【００１８】
次に、図２を参照して、プロジェクタ装置１００と再生装置２００の内部構成について説明する。
再生装置２００は、ディスクなどを再生する再生部２１０を備え、再生部２１０で再生して得た映像データを、立体映像処理部２２０に供給する。立体映像処理部２２０は、再生部２１０で再生した映像データが立体視用の映像データである場合に、立体視に関する処理を行う。具体的には、左眼用映像と右眼用映像との視差の調整を行う。
そして、立体映像処理部２２０で調整された映像データを、端子部２３０に供給する。端子部２３０は、ＨＤＭＩ規格の端子であり、ケーブル接続ポート２３１にＨＤＭＩケーブル９０を接続する。
【００１９】
また、端子部２３０にはＥＤＩＤ検出部２３２が接続してあり、シンク機器側のＥＤＩＤ格納部に格納されたＥＤＩＤ（Extended display identification data）のデータを、ＥＤＩＤ検出部２３２が検出する。このＥＤＩＤのデータは、シンク機器の映像表示能力に関するデータである。例えばシンク機器での映像表示解像度や、シンク機器が入力可能な映像フォーマットなどが示される。また、このＥＤＩＤのデータは、シンク機器が映像を表示する表示サイズのデータを含む。
このＥＤＩＤのデータをＥＤＩＤ検出部２３２が検出して、立体映像の表示が可能なシンク機器が接続されていると確認した場合に、再生部２１０で立体視用の映像データを再生して、立体映像処理部２２０で立体視に関する処理を行う。また、ＥＤＩＤのデータに含まれる表示サイズをＥＤＩＤ検出部２３２が検出し、再生部２１０や立体映像処理部２２０で、表示サイズに適した映像データとする処理を行う。
【００２０】
次に、プロジェクタ装置１００の構成を説明する。
プロジェクタ装置１００は、ＨＤＭＩ規格の端子部１５０を備え、ケーブル接続ポート１５１にＨＤＭＩケーブル９０を接続する。端子部１５０はＥＤＩＤ格納部１５２を備える。ＥＤＩＤ格納部１５２は、プロジェクタ装置１００の映像表示能力に関するデータを記憶するメモリで、例えば電気的に記憶データの書き換えが可能なメモリを使用する。このようなメモリとしては、例えばＥＥＰＲＯＭ（Electrically Erasable Programmable Read-Only Memory）がある。
ＥＤＩＤ格納部１５２が記憶する映像表示能力に関するデータの１つに、映像の表示サイズのデータがある。この映像の表示サイズのデータは、制御部１４０の制御で更新される。
【００２１】
端子部１５０がＨＤＭＩケーブル９０を介して映像データを受信したとき、その受信した映像データを映像処理部１３０に供給し、表示用の映像データ処理を行う。そして、映像処理部１３０で処理された映像データを映像投射処理部１２０に供給する。映像投射処理部１２０は、例えば映像を表示する表示パネルと、その表示パネルに表示された映像に光源からの光を透過させる光学系機構を備える。そして、表示パネルを透過した光を、投射レンズ１１０に入射させ、投射レンズ１１０でスクリーン１０１に映像を投射する。
【００２２】
本実施の形態の投射レンズ１１０はズームレンズであり、ズーム位置センサ１１１を備え、ズーム位置を検出する。ズーム位置センサ１１１は、投射角度検出部を構成するセンサであり、ズーム位置センサ１１１が検出したズーム位置のデータを、投射角度Ｒに対応したレンズ位置のデータとし制御部１４０に供給する。なお、投射レンズ１１０のズーム位置調整は、モータにより駆動される電動式と、ユーザが手動でズーム位置を操作する手動式のいずれの構成でもよい。
【００２３】
また、プロジェクタ装置１００は、距離センサ部１６０を備え、プロジェクタ装置１００から、投射レンズ１１０で映像を投射するスクリーン１０１までの距離を検出する。
すなわち、距離センサ部１６０は、超音波を発信する発信部１６１と、超音波を受信する受信部１６２とを備え、発信部１６１での発信タイミングと受信部１６２での受信タイミングとの時間差から、距離検出部１６３でスクリーン１０１までの距離を検出する。そして、距離センサ部１６０で検出されたスクリーン１０１までの距離のデータを、制御部１４０に供給する。
【００２４】
制御部１４０は、距離センサ部１６０で検出されたスクリーン１０１までの距離のデータと、ズーム位置センサ１１１が検出したズーム位置のデータとに基づいて、スクリーン１０１に投射された映像のサイズを算出する。この算出処理は、予め用意された演算式に距離のデータとズーム位置のデータを代入して行われる。
制御部１４０で映像サイズのデータが算出されると、この算出された映像サイズのデータは、端子部１５０が備えるＥＤＩＤ格納部１５２内の映像サイズのデータの欄に書き込まれ、ＥＤＩＤ格納部１５２内の映像サイズのデータが更新される。このＥＤＩＤ格納部１５２内の映像サイズのデータの更新処理を行うタイミングについては後述する。
【００２５】
［２．ＨＤＭＩケーブルで送受信する構成］
次に、プロジェクタ装置１００の映像データ入力部である、端子部１５０にＨＤＭＩケーブル９０を接続した場合の、相手側の機器である再生装置２００との伝送手順を、図３を参照して説明する。先に説明したように、ＨＤＭＩケーブル９０で機器接続を行う場合、映像データの出力側の機器をソース機器と称し、映像データの入力側の機器をシンク機器と称する。
プロジェクタ装置１００はシンク機器であり、図３では、ソース機器である再生装置２００と、プロジェクタ装置１００の端子部１５０とを、ＨＤＭＩケーブル９０で接続した場合の例を示す。また図３ではデータの伝送チャンネルを示し、ケーブル接続ポートは省略している。
【００２６】
再生装置２００は、ソース信号処理部である再生部２１０と立体映像処理部２２０とを備え、立体映像処理部２２０が出力する映像データ、音声データ及びコントロールデータを、端子部２３０内のＨＤＭＩ処理部２３３に供給する。ＨＤＭＩ処理部２３３は、映像データ、音声データ及びコントロールデータを、ＴＭＤＳチャンネル０，１，２の３つのチャンネルに分割して配置し、各チャンネルのデータを出力する。ＴＭＤＳは、Transition Minimized Differential Signalingの略である。また、クロックをＴＭＤＳクロックチャンネルに配置して出力する。各チャンネルは、ＨＤＭＩケーブル９０の個別のラインで伝送される。
【００２７】
再生装置２００のＴＭＤＳチャンネル０，１，２とＴＭＤＳクロックチャンネルのデータは、シンク機器であるプロジェクタ装置１００の端子部１５０内のＨＤＭＩ処理部１５３で受信し、映像データと音声データとコントロールデータとに分離する。分離した映像データと音声データとコントロールデータとを、プロジェクタ装置１００内の各部に供給する。例えば、受信した映像データを、図２に示した映像処理部１３０に供給する。また、受信したコントロールデータを、制御部１４０に供給する。また、受信した音声データを、図示しない音声データ処理部に供給する。プロジェクタ装置１００が音声データ処理部を備えない場合には、プロジェクタ装置１００は受信した音声データの処理を行わない。
【００２８】
また、ＨＤＭＩケーブル９０で伝送されるその他のラインとして、ディスプレイデータチャンネル（ＤＤＣ）と、ＣＥＣ（Consumer Electronics Control）ラインとを備え、これらのチャンネルやラインで双方向のデータ伝送が行われる。ＤＤＣでは、シンク機器であるプロジェクタ装置１００のＥＤＩＤ格納部１１２に格納されたＥＤＩＤを、ソース機器である再生装置２００のＨＤＭＩ処理部２３３が読み出し、図２に示したＥＤＩＤ検出部２３２が取得する。また、ＤＤＣを使用して、再生装置２００のＨＤＭＩ処理部２３３とシンク機器（プロジェクタ装置１００）のＨＤＭＩ処理部１５３との間で、その他のデータのやり取りについても行う。ＣＥＣラインは、コントロールデータなどの双方向の伝送が行われる。
【００２９】
［３．表示サイズを検出する処理］
次に、プロジェクタ装置１００が投射する映像のサイズを検出する処理について説明する。
投射映像のサイズを検出するためには、プロジェクタ装置１００の投射レンズ１１０からスクリーン１０１までの距離と、投射レンズ１１０の投射角度とが必要である。
プロジェクタ装置１００の投射レンズ１１０からスクリーン１０１までの距離は、距離センサ部１６０で検出する。距離センサ部１６０は、超音波の発信部１６１での発信タイミングと、受信部１６２での超音波の受信タイミングとの時間差から、距離検出部１６３でスクリーン１０１までの距離を検出する。すなわち、図４（ａ）に示すように、発信部１６１から一定周期で超音波を出力させる。そして、図４（ｂ）に示すように、受信部１６２で超音波が受信されるタイミングまでの時間差Ｔ１，Ｔ２，・・・，Ｔｎ（ｎは任意の整数）を検出する。
そして、距離検出部１６３で、検出された各時間差Ｔ１，Ｔ２，・・・，Ｔｎの平均値Ｔａを算出し、得られた平均値Ｔａを１／２の値とし、その平均値の１／２の値を、超音波の音速から距離Ｌに換算する。すなわち、次式で投射距離Ｌを得る。
投射距離Ｌ＝（平均値Ｔａ×音速）／２
そして、得られた投射距離Ｌの値を制御部１４０に供給する。
【００３０】
次に、投射レンズ１１０の投射角度を検出する構成について、図５を参照して説明する。
投射レンズ１１０は、ズーム位置センサ１１１を備える。ズーム位置センサ１１１は、ズーム位置を調整する調整レバーの調整位置を検出する。ズーム位置を調整する調整レバーは、図５に示すように、最小位置Ｖｍｉｎと最大位置Ｖｍａｘとの間で調整が可能で、現在位置Ｖに応じた、投射レンズ１１０の投射角度が設定される。
【００３１】
ズーム位置を調整する調整レバーの最小位置Ｖｍｉｎは、投射レンズ１１０の最小投射角度Ｒｍｉｎに対応し、最大位置Ｖｍａｘは、投射レンズ１１０の最大投射角度Ｒｍａｘに対応する。そして、ズーム位置センサ１１１で検出される調整レバーの現在位置Ｖが、現在の投射角度Ｒに対応する。
したがって、ズーム位置センサ１１１が検出した調整レバーの現在位置Ｖを制御部１４０に供給し、制御部１４０での換算用の演算処理で、投射角度Ｒを得る。投射角度Ｒを得る演算式の例を、次に示す。拡大係数ａは、投射レンズ１１０の特性で決まる一定値である。
投射角度Ｒ＝拡大係数ａ×現在位置Ｖ×（最大投射角度Ｒｍａｘ−最小投射角度Ｒｍｉｎ）／（最大位置Ｖｍａｘ−最小位置Ｖｍｉｎ）
そして、制御部１４０で得られたスクリーン１０１までの距離Ｌと、投射角度Ｒとを使用した演算で、スクリーン１０１上の投射映像のサイズを得る。例えば、次式の演算を行って、表示画面幅Ｗ０を求める。
画面幅Ｗ０＝投射距離Ｌ×ｔａｎ（投射角度Ｒ）／２
なお、画面幅が求まると、表示映像のアスペクト比から画面の高さについても定まる。画面の幅と高さは、例えばミリ（ｍｍ）で示したデータとする。
【００３２】
［４．電源オンにより表示サイズを取得する処理］
次に、本実施の形態のプロジェクタ装置１００が投影する映像の表示サイズを取得する処理について説明する。
プロジェクタ装置１００は、プロジェクタ装置１００の電源をオフ状態（又はスタンバイ状態）からオン状態に変化させた場合に、投影する映像の表示サイズを取得する処理を行う。また、投影する映像の表示サイズを取得する処理は、プロジェクタ装置１００でメニュー画面を表示させて、表示サイズ設定操作を行った場合にも行われる。
【００３３】
まず、図６のフローチャートを参照して、電源オンにより表示サイズを取得する場合の処理例を説明する。
プロジェクタ装置１００の制御部１４０は、ユーザによる電源キーの操作やリモートコントローラからの指示の受信などで、電源オフの状態又はスタンバイの状態から電源オンの状態にプロジェクタ装置１００が変化したか否かを判断する（ステップＳ１１）。
この判断で、プロジェクタ装置１００が電源オンの状態に変化したと判断されたとき、距離センサ部１６０でスクリーン１０１までの距離計測を実行させ、計測結果を取得する（ステップＳ１２）。また、ズーム位置センサ１１１が検出した調整レバーの現在位置を制御部１４０が取得し、調整レバーの現在位置を投射角度に換算する（ステップＳ１３）。
【００３４】
そして、制御部１４０は、取得したスクリーン１０１までの距離と投射角度から、スクリーン上での映像の表示サイズを算出する（ステップＳ１４）。制御部１４０が表示サイズを算出すると、その算出した表示サイズのデータで、ＥＤＩＤ格納部１５２内の表示サイズのデータを更新する（ステップＳ１５）。そして、端子部１５０に入力した映像データによる映像表示（映像投射）を開始し（ステップＳ１６）、電源オン時の処理を終了する。
【００３５】
［５．メニュー操作により表示サイズを取得する処理］
図７のフローチャートは、メニュー画面の操作で表示サイズを取得する処理例である。
本実施の形態のプロジェクタ装置１００は、メニュー画面で表示する項目として、「自動表示サイズ設定」の項目と、「手動表示サイズ設定」の項目を用意する。このメニュー画面は、例えばプロジェクタ装置１００又はリモートコントローラに用意されたメニューキーが押された際に、スクリーン１０１に投射する映像に表示される。また、メニュー画面中の各表示項目についても、プロジェクタ装置１００又はリモートコントローラに用意されたキー操作で選択される。
【００３６】
そして、制御部１４０は、メニュー画面が表示された状態で、「自動表示サイズ設定」の項目が選択されたか否かを判断する（ステップＳ２１）。ここで、「自動表示サイズ設定」の項目が選択されたと判断した場合には、距離センサ部１６０でスクリーン１０１までの距離計測を実行させ、計測結果を取得する（ステップＳ２２）。また、制御部１４０は、ズーム位置センサ１１１が検出した調整レバーの現在位置を取得し、調整レバーの現在位置を投射角度に換算する（ステップＳ２３）。
【００３７】
そして、取得したスクリーン１０１までの距離と投射角度から、スクリーン上での映像の表示サイズを算出する（ステップＳ２４）。制御部１４０が表示サイズを算出すると、その算出した表示サイズのデータで、ＥＤＩＤ格納部１５２内の表示サイズのデータを更新させる（ステップＳ２５）。
【００３８】
また、ステップＳ２１で「自動表示サイズ設定」の項目選択でないと判断した場合には、「手動表示サイズ設定」の項目が選択されたか否かを判断する（ステップＳ２６）。ここで、「手動表示サイズ設定」の項目が選択されたと判断した場合には、スクリーン１０１に投射する映像中に、スクリーンの垂直方向のサイズと水平方向のサイズを入力する項目を表示する（ステップＳ２７）。そして、リモートコントローラなどを使用したユーザ操作で、各項目に数値を入力する。そして、ユーザ操作で入力された表示サイズのデータで、ＥＤＩＤ格納部１５２内の表示サイズのデータを更新させる（ステップＳ２８）。
【００３９】
また、ステップＳ２６で「手動表示サイズ設定」の項目選択でないと判断した場合には、ステップＳ２１の判断に戻り、メニュー画面が表示されている間、この判断を繰り返す。
【００４０】
［６．ＥＤＩＤの設定処理］
次に、ＥＤＩＤ格納部１５２内の表示サイズのデータを更新させる構成と処理について説明する。
まず、図８を参照して、ＥＤＩＤ格納部１５２の記憶データを更新させる構成について説明する。
ＨＤＭＩ規格の端子部１５０は、ケーブル接続ポート１５１にＨＤＭＩケーブル９０を接続し、そのケーブル９０を介して受信した映像データを映像処理部１３０に供給する。また、端子部１５０がＨＤＭＩケーブル９０を介して受信した制御データを制御部１４０に供給すると共に、制御部１４０からの制御データを端子部１５０からＨＤＭＩケーブル９０側に送信する。
【００４１】
これらの送受信をＨＤＭＩケーブル９０で行う際には、ＨＤＭＩケーブル９０内のホットプラグ用のラインが所定の電位である必要があり、そのホットプラグ用のラインが、スイッチＳＷ１と抵抗器Ｒ１を介して接地されている。
また、端子部１５０がＥＤＩＤ格納部１５２の記憶データを読み出すラインが、スイッチＳＷ２を介して接続されており、さらに、ＥＤＩＤ格納部１５２の書き込みデータ供給ラインが、スイッチＳＷ３を介して制御部１４０に接続されている。
これらの各スイッチＳＷ１，ＳＷ２，ＳＷ３は、制御部１４０により開閉が制御されるスイッチであり、端子部１５０に接続されたＨＤＭＩケーブル９０で伝送を行う際には、スイッチＳＷ１及びＳＷ２を閉状態とし、スイッチＳＷ３を開状態とする。
【００４２】
そして、制御部１４０がＥＤＩＤ格納部１５２の記憶データを更新させる際には、ホットプラグ用のラインに接続されたスイッチＳＷ１を開状態として、ＨＤＭＩケーブル９０を介した伝送ができない状態に遮断する。また、ＥＤＩＤ格納部１５２の記憶データの読み出すラインに接続されたスイッチＳＷ２を開状態として読み出しできない状態とし、スイッチＳＷ３を閉状態として、制御部１４０から更新データをＥＤＩＤ格納部１５２に供給できるようにする。
【００４３】
図９は、この図８の構成でＥＤＩＤ格納部１５２に表示サイズのデータを書き込む処理を示したフローチャートである。
この図８のフローチャートの処理は、図６のフローチャートのステップＳ１５及び図７のフローチャートのステップＳ２５での表示サイズの書き込み処理に相当する。
まず制御部１４０は、スイッチＳＷ１を閉状態から開状態とし、ホットプラグをオフとして、ＨＤＭＩケーブル９０での伝送ができない状態とする（ステップＳ３１）。さらに、スイッチＳＷ２を閉状態から開状態とし、端子部１５０がＥＤＩＤ格納部１５２内の記憶データを読み出せないように、ＥＤＩＤ格納部１５２の出力側を遮断する（ステップＳ３２）。
【００４４】
そして、スイッチＳＷ３を開状態から閉状態とし、ＥＤＩＤ格納部１５２の入力側を接続する（ステップＳ３３）。この状態で、制御部１４０は、取得した表示サイズのデータをＥＤＩＤ格納部１５２に供給してメモリに書き込み、ソース機器（再生装置２００）に提示する表示サイズを更新する（ステップＳ３４）。
その後、制御部１４０は、スイッチＳＷ３を閉状態から開状態に戻し（ステップＳ３５）、スイッチＳＷ２を開状態から閉状態に戻す（ステップＳ３６）。この処理が行われることで、端子部１５０は、ＥＤＩＤ格納部１５２の記憶データが読み出せるようになる。さらに、スイッチＳＷ１を開状態から閉状態として、ホットプラグ用のラインを所定の電位に戻し（ステップＳ３７）、ＨＤＭＩケーブル９０を介した伝送が行える状態に復帰する。
【００４５】
このようにしてＥＤＩＤ格納部１５２が記憶する表示サイズが、プロジェクタ装置１００内で実際に検出した映像の表示サイズに更新され、その更新された表示サイズが、ＨＤＭＩケーブル９０を介してソース機器（再生装置２００）に伝送される。
【００４６】
［７．再生装置での処理］
図１０のフローチャートは、再生装置２００で表示サイズのデータを読み出した場合の処理例を示した図である。
まず、再生装置２００側では、端子部２３０で検出されるＨＤＭＩケーブル９０の状態が、ホットプラグがオフの状態からオンの状態に変化したか否かを判断する（ステップＳ４１）。この判断で、ホットプラグがオフの状態のままであると判断した場合には、オンの状態に変化するまで待機する。そして、ホットプラグがオンの状態に変化したことを検出した場合、ＥＤＩＤ検出部２３２は、プロジェクタ装置１００のＥＤＩＤ格納部１５２の記憶データを読み出し、プロジェクタ装置１００の表示サイズのデータを取得する（ステップＳ４２）。
【００４７】
この取得した表示サイズのデータは、立体映像処理部２２０に供給される。立体映像処理部２２０は、再生部２１０から再生した映像データが、立体視可能な映像データで、プロジェクタ装置１００が立体映像の処理可能であることをＥＤＩＤのデータから確認すると、対応した立体映像処理を行う（ステップＳ４３）。例えば、ＥＤＩＤのデータで示された表示サイズに対応した、左眼用映像と右眼用映像との視差を設定する。
この表示サイズに対応した、左眼用映像と右眼用映像との適切な視差を設定する処理は、既に背景技術の欄で図１３を参照して説明した処理である。
このようにソース機器である再生装置２００は、プロジェクタ装置１００で検出したスクリーン１０１上の映像表示サイズを取得して、立体視用の映像データを生成させる際に、適切な視差を設定できる。これにより表示サイズに依存しない一定の立体感が得られる。
【００４８】
［８．変形例］
なお、上述した実施の形態の例では、プロジェクタ装置が備えるスクリーンまでの距離検出部として、超音波の送受信により検出（計測）する検出部とした。これに対して、レーザ光などのその他の信号を利用した距離検出部としてもよい。
【００４９】
また、上述した実施の形態の例では、プロジェクタ装置内では、立体視用映像データの左右の視差調整を行わない構成とした。これに対して、算出した表示サイズに応じて、プロジェクタ装置内で左眼用映像と右眼用映像の視差を調整する構成としてもよい。
【００５０】
また、算出した画面サイズとは別の要因で、プロジェクタ装置内で左眼用映像と右眼用映像の視差を調整してもよい。
例えば図１１に示すように、プロジェクタ装置１００とは別に、立体視聴用の眼鏡３００又はリモートコントローラ４００が用意される。眼鏡３００は、左眼用液晶シャッタと右眼用液晶シャッタを、プロジェクタ装置１００での左眼用映像の表示と右眼用映像の表示に同期して開閉させて、装着者に映像を立体視させるものである。
【００５１】
図１１の例では、眼鏡３００やリモートコントローラ４００に、超音波の発信部を設ける。そして、眼鏡３００からスクリーン１０１に向けて発信された超音波Ｕ２の反射波を、プロジェクタ装置１００の距離センサ部１６０の受信部１６２で受信する。あるいは、リモートコントローラ４００からスクリーン１０１に向けて発信された超音波Ｕ３の反射波を、プロジェクタ装置１００の距離センサ部１６０の受信部１６２で受信する。各超音波Ｕ２，Ｕ３は、スクリーン１０１の反射波ではなく、それぞれの機器３００，４００から直接受信部１６２が受信する構成でもよい。
【００５２】
そして、制御部１４０は、受信部１６２で受信した各超音波Ｕ２，Ｕ３に基づいて、眼鏡３００を装着したユーザや、リモートコントローラ４００を操作したユーザの視聴位置を推定する。そしてプロジェクタ装置内の制御部１４０は、推定した視聴位置が、立体視する標準的な視聴位置に近い位置か、それよりも手前側又は奥側かを判断して、左右の映像の視差を調整する。
なお、図１１に示したプロジェクタ装置１００は、距離センサ部１６０の受信部１６２で外部機器の超音波信号を受信して、距離を判断する構成以外は、図２に示したプロジェクタ装置１００と同じ構成である。
【００５３】
図１２は、この外部機器の超音波信号を受信して、プロジェクタ装置１００内で、左右の映像の視差を調整する処理例を示したフローチャートである。
まず、制御部１４０は、受信部１６２で外部機器（眼鏡３００又はリモートコントローラ４００）からの超音波信号を受信したか否かを判断する（ステップＳ５１）。そして、その受信したタイミングから外部機器とスクリーン１０１との距離を測定（推測）する（ステップＳ５２）。なお、スクリーン１０１とプロジェクタ装置１００の距離は既に説明した処理で取得されており、そのスクリーン１０１とプロジェクタ装置１００の距離と、外部機器とプロジェクタ装置１００の距離との差から、外部機器とスクリーン１０１との距離が得られる。
【００５４】
そして、取得した外部機器とスクリーン１０１との距離が、適正な視聴位置か、あるいは標準的な視聴位置よりもスクリーンから遠い位置か、それとも現在設定されている標準的な視聴位置よりもスクリーンに近い位置であるかを判断する（ステップＳ５３）。
この判断で、ほぼ適正な視聴位置であると判断した場合には、端子部１５０に入力した映像データを、そのままの視差で投射表示する。
また、現在設定されている標準的な視聴位置よりもスクリーンから遠い位置であると判断した場合には、左眼用映像と右眼用映像との視差を広げて、立体効果を強くする強調処理を行い、その強調処理した映像と投射表示する。
さらに、現在設定されている標準的な視聴位置よりもスクリーンに近い位置であると判断した場合には、左眼用映像と右眼用映像との視差を狭くして、立体効果を弱くする処理を行い、その弱め処理を行った映像と投射表示する。
【００５５】
このようにして、投射映像を鑑賞するユーザの位置に応じて視差の強調処理又は弱め処理を行うことで、どの位置にユーザがいる場合でも、適正な立体感の映像を表示できる。
【００５６】
また、上述した実施の形態の例で説明したＥＤＩＤ格納部を構成するメモリは、上述した実施の形態ではＥＥＰＲＯＭを使用したが、他の構成の不揮発性メモリを使用してもよい。
例えば、ＥＤＩＤ格納部を構成するメモリとして、フラッシュメモリ、ＮＶＲＡＭ、ＦｅＲＡＭ、ＭＲＡＭなどと称される、不揮発性の各種メモリを使用してもよい。ＥＥＰＲＯＭやフラッシュメモリは、電気的に記憶データの書き換えが可能な不揮発性メモリである。ＮＶＲＡＭ（Non Volatile RAM）は、メモリバックアップ用の電池を備えた不揮発性のメモリである。ＦｅＲＡＭ（Ferroelectric RAM／強誘電体メモリ）は、記憶素子に強誘電体を利用した不揮発性メモリであり、ＭＲＡＭ（MagnetoresistiveRAM／磁気抵抗メモリ）は、記憶素子に磁性体を利用した不揮発性メモリである。
また、ＥＤＩＤ格納部として、図１に示した構成では、専用のメモリを使用した例としたが、映像表示装置が備える他の不揮発性のメモリの一部の記憶領域を使用して、ＥＤＩＤ格納部を構成してもよい。
【００５７】
また、上述した実施の形態の例では、映像入力用の端子として、ＨＤＭＩ規格のインターフェースの端子としたが、その他の規格の端子部としてもよい。他のインターフェースの端子部の場合、それぞれのインターフェースで用意された、入力可能な映像データのフォーマットや形式などを示すデータに適用可能である。
例えば、ＤＶＩ（Digital Visual Interface）規格、ディスプレイポート(DisplayPort)規格、Ｄ−sub(D-subminiature)規格を適用してもよい。これらの規格では、自機の表示能力に関するデータとして、ＥＤＩＤ（又はその他の名称の同様のデータ）が用意され、これらのデータの表示サイズの項目を、検出した表示サイズに応じて設定することで対応が可能である。
【００５８】
また、上述した実施の形態の例では、ＥＤＩＤのデータで示した表示サイズを、立体視する際の視差などを設定する場合の処理に適用したが、立体用映像でない、通常の２Ｄ表示用の映像データを処理する場合に、ＥＤＩＤなどのデータによる表示サイズを適用してもよい。例えば、ソース機器から出力する映像データの解像度やフレームレートなどの詳細を、表示サイズに応じて適切な値に設定して、その設定された解像度などの映像データをシンク機器（プロジェクタ装置）に供給して表示させてもよい。
【００５９】
なお、本開示は以下のような構成も取ることができる。
【００６０】
（１）ソース機器が出力した映像データが入力され、自機の表示能力に関するデータを前記ソース機器に伝送する端子部と、
前記端子部に入力された映像データによる投射映像を生成し、生成した投射映像を投射レンズにより投射する映像投射処理部と、
前記投射レンズにより投射した映像が表示される表示面までの距離を検出する距離検出部と、
前記投射レンズによる映像の投射角度を検出する投射角度検出部と、
前記距離検出部が検出した距離と前記投射角度検出部が検出した投射角度に基づいて表示面での映像の表示サイズを算出し、算出した表示サイズを、前記自機の表示能力に関するデータとして前記端子部から前記ソース機器に伝送する制御部とを備える
プロジェクタ装置。
【００６１】
（２）前記端子部がソース機器に伝送する表示能力に関するデータを格納するデータ格納部を備え、
前記制御部が算出した表示サイズを、前記データ格納部に格納する
前記（１）記載のプロジェクタ装置。
【００６２】
（３）当該プロジェクタ装置の電源投入操作又は表示サイズを更新する操作があった際に、前記制御部が表示サイズを算出し、前記データ格納部が格納する表示サイズのデータを、算出した表示サイズに更新する
前記（１）又は（２）記載のプロジェクタ装置。
【００６３】
（４）前記制御部は、前記端子部を介した前記ソース機器とのデータ伝送が行えない無効化処理を行った状態で、前記データ格納部が格納する表示サイズのデータを更新し、更新後に前記無効化を解除する
前記（１）〜（３）のいずれか１項に記載のプロジェクタ装置。
【００６４】
（５）前記端子部が入力した映像データは、立体視用映像データを構成する右眼用映像と左眼用映像とが交互又は個別に供給される映像データであり、
前記映像投射処理部は、前記右眼用映像と左眼用映像とを所定の周期で交互に表示面に投射する
前記（１）〜（４）のいずれか１項に記載のプロジェクタ装置。
【００６５】
（６）前記制御部は、前記表示面に投射された映像を視るユーザの位置と、前記表示面との距離を推測し、
その推測した距離により、前記端子部に入力した映像データの前記右眼用映像と前記左眼用映像の視差の調整を行う
前記（１）〜（５）のいずれか１項に記載のプロジェクタ装置。
【００６６】
（７）端子部にソース機器から入力した映像データによる投射映像を生成し、生成した投射映像を投射レンズにより投射して映像を表示する表示処理と、
前記投射レンズにより投射した映像が表示される表示面までの距離を検出する距離検出処理と、
前記投射レンズによる映像の投射角度を検出する投射角度検出処理と、
前記距離検出処理で検出した距離と前記投射角度検出処理で検出した投射角度に基づいて表示面での映像の表示サイズを算出する表示サイズ算出処理と、
前記表示サイズ算出処理で得た表示サイズを前記ソース機器に伝送する伝送処理とを実行する
映像表示方法。
【符号の説明】
【００６７】
１ａ，１ｂ…スクリーン、９０…ＨＤＭＩケーブル、１００…プロジェクタ装置、１１０…投射レンズ、１１１…ズーム位置センサ、１２０…映像投射処理部、１３０…映像処理部、１４０…制御部、１４１…メモリ、１５０…端子部、１５１…ケーブル接続ポート、１５２…ＥＤＩＤ格納部、１５３…ＨＤＭＩ処理部、１６０…距離センサ部、１６１…発信部、１６２…受信部、１６３…距離検出部、２００…再生装置、２１０…再生部、２２０…立体映像処理部、２３０…端子部、２３１…ケーブル接続ポート、２３２…ＥＤＩＤ検出部、２３３…ＨＤＭＩ処理部、３００…眼鏡、４００…リモートコントローラ
【図１】
2013077987.tif 000003
【図２】
2013077987.tif 000004
【図３】
2013077987.tif 000005
【図４】
2013077987.tif 000006
【図５】
2013077987.tif 000007
【図６】
2013077987.tif 000008
【図７】
2013077987.tif 000009
【図８】
2013077987.tif 000010
【図９】
2013077987.tif 000011
【図１０】
2013077987.tif 000012
【図１１】
2013077987.tif 000013
【図１２】
2013077987.tif 000014
【図１３】
2013077987.tif 000015